(57)【要約】【課題】外装パネルの交換に伴ってその外装パネルの広告主に関する情報を容易に取得可能な広告提供サービスシステムを得ること。【解決手段】外装パネル識別情報取得手段１１ａは、装置本体に装着の対象となる外装パネルを他の外装パネルから区別する外装パネル識別情報を取得する。宛先判別手段１１ｂは、外装パネル識別情報に対応したインターネット上の特定の宛先を判別する。広告サーバ１２は、この特定の宛先に設置され、携帯端末１１と通信して外装パネルの広告主に関する情報を配信する。【選択図】図１
2011097607.tif 000002
【特許請求の範囲】
【請求項１】
装置本体に装着の対象となる外装パネルを、同様に装置本体に装着の対象となる他の外装パネルから区別するための外装パネル識別情報を取得する外装パネル識別情報取得手段と、この外装パネル識別情報取得手段によって取得した外装パネル識別情報に対応したインターネット上の特定の宛先を判別する宛先判別手段と、前記装置本体に前記外装パネルが装着されたときこの宛先判別手段によって判別された宛先に接続する通信手段とを備えた携帯端末と、
前記インターネット上で前記特定の宛先に設置され、前記携帯端末の通信手段と通信し前記外装パネルの広告主に関する情報を配信する広告サーバ
とを具備することを特徴とする広告提供サービスシステム。
【請求項２】
装置本体に装着の対象となる外装パネルを、同様に装置本体に装着の対象となる他の外装パネルから区別するための外装パネル識別情報を取得する外装パネル識別情報取得手段と、この外装パネル識別情報取得手段によって取得した外装パネル識別情報をインターネットを通じて特定の宛先に送信する通信手段とを備えた携帯端末と、
前記インターネット上で前記特定の宛先に設置され、前記携帯端末の通信手段から送られてきた前記外装パネル識別情報を受信する受信手段と、この受信手段によって受信した前記外装パネル識別情報を基に前記携帯端末の装置本体が装着する外装パネルの広告主を判別する広告主判別手段と、この広告主判別手段によって判別された広告主に関する情報を前記携帯端末に対して配信する配信手段とを備えた広告サーバ
とを具備することを特徴とする広告提供サービスシステム。
【発明の詳細な説明】
【技術分野】
【０００１】
本発明は、広告提供サービスシステムに係わり、特に外観を変更することのできる携帯端末を使用した広告提供サービスシステムに関する。
【背景技術】
【０００２】
携帯電話機、ＰＨＳ（Personal Handy-phone System）、ＰＤＡ（Personal Digital Assistant）あるいは携帯可能で無線通信機能を備えた携帯端末がオフィスのみならず家庭にも広く普及している。これらの携帯端末は、たとえば家庭に設置されている複数の者が共同で使用する固定式の電話機と異なり、それぞれ個人個人が専用に所持することを１つの特徴としている。
【０００３】
このようなことから、これらの携帯端末は個々のユーザの嗜好の多様性に対応するために、各種の機能を備えたものが従来から販売されている。これら多くの機能を備えた携帯端末は、たとえば自宅で使用する場合やオフィスで使用する場合のように使用環境に応じて機能を選択して使用することができる。そこで、使用環境に合わせて、携帯端末の外装パネルを交換し、交換された外装パネルに応じて機能を自動的に設定することが第１の提案として提案されている（たとえば特許文献１参照）。
【０００４】
この第１の提案によれば、現在、装置本体に装着されている外装パネルを見るだけで、動作モードを即座に認識することができ、機能の確認のためのメニュ操作が不要になる。
【０００５】
また、外装パネルとしてのカバーを変えると、電話機の内部操作特性を自動的に変更することが第２の提案として提案されている（たとえば特許文献２参照）。この第２の提案では、ユーザが携帯電話機の外観の変更を望んだり、カバーが破損したような場合にカバーを交換できるようにしている。そして、このカバーに関連した操作特性に従って携帯無線通信装置の操作特性を再構成するようにしている。
【０００６】
代表的には、ユーザがお気に入りの音楽バンドのカバーを購入しこれを電話機の本体に装着すると、これにより電話機の外観が変わるだけでなく、スタートアップメニュにそのバンドのロゴが入ったり、着信音にそのバンドのヒット曲の１つが鳴るようになっている。着信音の他に、呼び出し音、アニメーション、スクリーンセーバ、モード、ブックマーク、ブラウザプリファランス、電話メモリプリファランス、ゲームまたはゲームエレメント、ゲームのプレーヤやアイテムの補充が挙げられる。
【０００７】
このように第２の提案では、カバーを交換すると、カバーのＩＤ（Identification）が検知され、この結果として電話機の内部構成がこれに応じて選択されて変更される。内部構成は、予めプログラムされた内部構成の範囲から選択してもよいし、サーバから検索してダウンロードするようにしてもよい。
【先行技術文献】
【特許文献】
【０００８】
【特許文献１】特開２００４−２２１８６０号公報（第０００８、第０００９、第００３７段落、図９）
【特許文献２】特表２００３−５３３１３４号公報（第０００４、第０００８、第００１４、第００１８段落、図１）
【発明の概要】
【発明が解決しようとする課題】
【０００９】
ところで、第１および第２の提案では、装置本体に交換自在に取り付ける外装パネルに応じて携帯端末の機能を特定の使用環境に合わせて制限したり、特定の機能に特化させることによってユーザの便宜を図っている。従って、これらの提案は、携帯端末としての装置の機能そのものを特化させるものであり、いわば舞台装置を個々のユーザや用途のためにセッティングする技術を開示したものである。
【００１０】
ところが従来提案された携帯端末に関連する技術では、舞台装置をセッティングしても、この舞台装置を用いてユーザに提供する各種のサービスについては画一的であり、なんらの配慮もされていない。たとえば、ユーザがある飲料メーカの製品のファンであり、その製品に似た外観の外装パネルを購入したり、プレゼントされたものとする。この場合、ユーザはその製品の有するイメージに沿って、液晶等の画面の表示に使用される文字の書体やアイコン、あるいは携帯端末が待ち受け状態のときに表示される待ち受け画面のデザイン等のコーディネイト用素材を使用することを希望する場合が多い。また、携帯端末から各種の音声メッセージが流される場合には、該当する製品のコマーシャルに起用されているタレントの声が使用されたり、その製品のイメージに合った声優が起用されることを希望するような場合が多い。これによって、携帯端末の外装パネルと携帯端末によってもたらされるサービスのミスマッチを無くして、視覚、聴覚等の人間の感受する感覚表現が適合するトータルコーディネイトを図ることができるからである。
【００１１】
このため、従来では外装パネルを変更したユーザは、新たな外装パネルの柄や素材感に携帯端末の他の部分を調和させる努力を行っていた。具体的には、新たに採用した外装パネルのメーカのホームページにアクセスして、そこに提供されている書体、アイコン等の視覚的な素材だけでなく五感に訴える各種のコーディネイト用素材をダウンロードしていた。ところが、これらダウンロードしたコーディネイト用素材を個々の携帯端末にセットするのは煩雑で、場合によっては比較的専門的な知識を有することが必要とされる場合があり、この結果として外装パネルのメーカ側が意図したような感覚表現の適合の実現が困難であるという問題があった。
【００１２】
また、このような専門的な知識を有する者であっても、外装パネルを交換するたびにコーディネイト用素材をダウンロードして設定することは面倒であり、この結果として外装パネルをたとえば気分や使用環境に応じて自在に変更することができないという問題があった。
【００１３】
そこで本発明の目的は、外装パネルの交換に伴ってその外装パネルの広告主に関する情報を容易に取得可能な広告提供サービスシステムを得ることにある。
【課題を解決するための手段】
【００１４】
本発明では、（イ）装置本体に装着の対象となる外装パネルを、同様に装置本体に装着の対象となる他の外装パネルから区別するための外装パネル識別情報を取得する外装パネル識別情報取得手段と、この外装パネル識別情報取得手段によって取得した外装パネル識別情報に対応したインターネット上の特定の宛先を判別する宛先判別手段と、装置本体に外装パネルが装着されたときこの宛先判別手段によって判別された宛先に接続する通信手段とを備えた携帯端末と、（ロ）インターネット上で前記した特定の宛先に設置され、携帯端末の通信手段と通信し外装パネルの広告主に関する情報を配信する広告サーバとを広告提供サービスシステムに具備させる。
【００１５】
また、本発明では、（イ）装置本体に装着の対象となる外装パネルを、同様に装置本体に装着の対象となる他の外装パネルから区別するための外装パネル識別情報を取得する外装パネル識別情報取得手段と、この外装パネル識別情報取得手段によって取得した外装パネル識別情報をインターネットを通じて特定の宛先に送信する通信手段とを備えた携帯端末と、（ロ）インターネット上で前記した特定の宛先に設置され、携帯端末の通信手段から送られてきた外装パネル識別情報を受信する受信手段と、この受信手段によって受信した外装パネル識別情報を基に携帯端末の装置本体が装着する外装パネルの広告主を判別する広告主判別手段と、この広告主判別手段によって判別された広告主に関する情報を携帯端末に対して配信する配信手段とを備えた広告サーバとを広告提供サービスシステムに具備させる。
【発明の効果】
【００１６】
以上説明したように本発明によれば、携帯端末の本体に装着する外装パネルを選択するとその外装パネルの広告主に関する情報を簡易に取得することができるので、広告主による広告効果を高めることができるばかりでなく、外装パネルに適合させて装置本体の使用するアイコン、フォント、画面の配色、背景画像、時計表示等のデザイン統一のための環境を必要とするときには、これに関する情報も容易に取得することができる。
【図面の簡単な説明】
【００１７】
【図１】本発明の広告提供サービスシステムのクレーム対応図である。
【図２】本発明の他の広告提供サービスシステムのクレーム対応図である。
【図３】本発明の実施の形態におけるコンテンツ提供サービスシステムの概略構成図である。
【図４】本実施例で携帯電話機の構造の概要を表わした説明図である
【図５】本実施例でパネル識別コード部の構成の一例を示した平面図である。
【図６】本実施例の携帯電話機の回路構成の概要を表わしたブロック図である。
【図７】本実施例における記憶部の概要を表わした説明図である。
【図８】本実施例のパネルデータ関連情報記憶領域の詳細を表わした説明図である。
【図９】本実施例の外装パネル提供サーバの構成の概要を表わしたブロック図である。
【図１０】本実施例のコンテンツサーバの構成の概要を表わしたブロック図である。
【図１１】本実施例で外装パネルの送付を依頼する際の携帯電話機側の処理の様子を表わした流れ図である。
【図１２】本実施例で携帯電話機がコンテンツセットを設定する際の処理を表わした流れ図である。
【図１３】本発明の第１の変形例におけるコンテンツ提供サービスシステムの概略構成図である。
【図１４】第１の変形例におけるコンテンツサーバの構成を表わしたブロック図である。
【図１５】第１の変形例で携帯電話機がコンテンツセットを設定する際の処理の前半を表わした流れ図である。
【図１６】第１の変形例で携帯電話機がコンテンツセットを設定する際の処理の後半を表わした流れ図である。
【図１７】第１の変形例でコンテンツサーバによる広告関連の処理の概要を表わした流れ図である。
【図１８】本発明の第２の変形例におけるコンテンツサーバの構成の概要を表わしたブロック図である。
【図１９】第２の変形例でコンテンツセットの選択処理を表わした流れ図である。
【図２０】本発明の第３の変形例における携帯電話機の回路構成の概要を表わしたブロック図である。
【図２１】第３の変形例の携帯電話機で外装パネルの種類を判別する処理の前半を表わした流れ図である。
【図２２】第３の変形例の携帯電話機で外装パネルの種類を判別する処理の後半を表わした流れ図である。
【図２３】本発明の第４の変形例における外装パネルを外した携帯電話機の斜視図である。
【図２４】第４の変形例における携帯電話機の外装パネルの表面を表わした平面図である。
【図２５】第４の変形例における携帯電話機の外装パネルの裏面を表わした平面図である。
【発明を実施するための形態】
【００１８】
図１は、本発明の広告提供サービスシステムのクレーム対応図を示したものである。本発明の広告提供サービスシステム１０は、携帯端末１１と、広告サーバ１２を備えている。ここで、携帯端末１１は、外装パネル識別情報取得手段１１ａと、宛先判別手段１１ｂと、通信手段１１ｃを有している。外装パネル識別情報取得手段１１ａは、装置本体に装着の対象となる外装パネルを、同様に装置本体に装着の対象となる他の外装パネルから区別するための外装パネル識別情報を取得する。宛先判別手段１１ｂは、外装パネル識別情報取得手段１１ａによって取得した外装パネル識別情報に対応したインターネット上の特定の宛先を判別する。通信手段１１ｃは、前記装置本体に前記外装パネルが装着されたときこの宛先判別手段１１ｂによって判別された宛先に接続する。広告サーバ１２は、前記インターネット上で前記特定の宛先に設置され、前記携帯端末１１の通信手段１１ｃと通信し前記外装パネルの広告主に関する情報を配信する。
【００１９】
図２は、本発明の他の広告提供サービスシステムのクレーム対応図を示したものである。本発明の他の広告提供サービスシステム２０は、携帯端末２１と広告サーバ２２を備えている。ここで、携帯端末２１は、外装パネル識別情報取得手段２１ａと、通信手段２１ｂとを備えている。外装パネル識別情報取得手段２１ａは、装置本体に装着の対象となる外装パネルを、同様に装置本体に装着の対象となる他の外装パネルから区別するための外装パネル識別情報を取得する。通信手段２１ｂは、外装パネル識別情報取得手段２１ａによって取得した外装パネル識別情報をインターネットを通じて特定の宛先に送信する。受信手段２２ａは、前記インターネット上で前記特定の宛先に設置され、前記携帯端末２１の通信手段２１ｂから送られてきた前記外装パネル識別情報を受信する。広告主判別手段２２ｂは、受信手段２２ａによって受信した前記外装パネル識別情報を基に前記携帯端末の装置本体が装着する外装パネルの広告主を判別する。配信手段２２ｃは、広告主判別手段２２ｂによって判別された広告主に関する情報を前記携帯端末に対して配信する。
【００２０】
＜発明の実施の形態＞
【００２１】
次に本発明の実施の形態を説明する。
【００２２】
図３は、本発明の実施の形態における携帯端末としての携帯電話機に、外装パネルと人間の視覚、聴覚等の五感の少なくとも一部で感受する感覚表現が適合（トータルコーディネイト）されたパネル別感覚表現用データとしてのコンテンツを提供するコンテンツ提供サービスシステムの構成の概要を表わしたものである。本実施の形態のコンテンツ提供サービスシステム１００は、インターネット１０１と携帯通信網１０２とを通信ネットワークとして使用したシステムである。携帯通信網１０２には、ユーザ１０３の所持する携帯端末としての携帯電話機１０４が接続されている。携帯電話機１０４は、装置本体１０５と、これに対して着脱自在の外装パネル１０６とによって構成されている。ユーザ１０３は、携帯電話機１０４の他に、たとえばデスクトップのパーソナルコンピュータや通信機能を備えたゲーム端末に代表される操作専用端末１０７を所持していてもよい。本実施の形態では操作専用端末１０７は、直接、インターネット１０１に接続されており、携帯電話機１０４の外装パネル１０６に関連する操作にも使用することができる。本実施の形態では、携帯電話機１０４自体を外装パネル１０６に関連する操作に使用する場合を中心に説明する。
【００２３】
インターネット１０１には、外装パネル１０６をユーザ１０３に提供するための外装パネル提供サーバ１０８と、コーディネート素材としてのコンテンツを選別してユーザ１０３に提供するコンテンツサーバ１０９が設けられている。ただし特定メーカが外装パネル１０６とコンテンツを共通して提供する場合、外装パネル提供サーバ１０８とコンテンツサーバ１０９は１つの共通したサーバとして実現することも可能である。本実施の形態で外装パネル提供サーバ１０８は、１つあるいは複数のメーカがデザインした複数の外装パネル１０６の中の所望のものをユーザに選択させるサーバとなっている。コンテンツサーバ１０９は、ユーザ１０３が選択した外装パネル１０６についての情報を受信して、これに対応するコンテンツを提供するようになっている。
【００２４】
図４は携帯電話機の構造の概要を表わしたものである。本実施の形態の携帯電話機１０４は、各種電子回路が収容された装置本体１０５と、これに着脱自在に装着１２１を行う外装パネル１０６によって構成されている。装置本体１０５の大きさは幾種類かに規格化されており、同一規格に対して複数の外装パネル１０６が用意されている。ただし、説明を簡略化するために装置本体１０５は１種類のサイズに限定されているものとする。
【００２５】
装置本体１０５の予め定めた箇所には、識別コード読取部１２２が配置されている。本実施の形態では所定のエリアの２次元情報を読み取る読取センサが識別コード読取部１２２に使用されている。外装パネル１０６には、装着時点で識別コード読取部１２２と対向する位置にパネル識別コード部１２３が取り付けられている。識別コード読取部１２２が読み取るパネル識別コードは、本実施の形態で使用するもの以外に、バーコード、無線タグを用いたコード情報等各種のものが存在することはもちろんである。
【００２６】
図５は、本実施の形態のパネル識別コード部の一例を示したものである。パネル識別コード部１２３は、本実施の形態で３×３のマトリックス状に配置された白丸あるいは黒丸からなる幾何学模様によって、それぞれ固有のパネル識別コードを表現している。装置本体１０５はこの幾何学模様を識別コード読取部１２２で読み取って、これを図３に示したコンテンツサーバ１０９に送出することで、所望のコンテンツの取得を可能にする。
【００２７】
図６は、携帯電話機の回路構成の概要を表わしたものである。本実施の形態の携帯電話機１０４は、制御部１３１を備えている。制御部１３１は、携帯電話機１０４の全体を制御するもので、図示しないＣＰＵ（中央処理装置）、ＲＯＭ（リード・オンリ・メモリ）およびＲＡＭ（ランダム・アクセス・メモリ）を備えている。そして、ＲＯＭに格納された制御プログラムを実行することで各種の制御を可能にしている。ＲＡＭはＣＰＵが制御を行うときに一時的に必要とする各種のデータあるいはプログラムを一時的に格納するようになっている。
【００２８】
この制御部１３１は、データバス等のバス１３２を介して携帯電話機１０４内の各部と接続されている。ここで各部とは、ハードウェアによって構成された回路部分と、ＣＰＵが制御プログラムを実行することによってソフトウェア的に実現する回路部分の双方を含んでいる。
【００２９】
通信部１３３は、送受信用のアンテナ１３４を備えており、携帯電話機１０４が図３に示す携帯通信網１０２を介して、あるいは更にインターネット１０１等の通信ネットワークを介して通話やデータ通信を行うようになっている。表示部１３４は、液晶ディスプレイやＥＬ（Electro Luminescence）パネルによって構成されている。本実施の形態の場合には、表示部１３４によって、たとえば各種のコンテンツを選択する画面が表示されて、ユーザ１０３による選択を可能にしている。受話部１３５は、通信部１３３によって受信された音声を出力する回路部分であり、たとえばスピーカによって構成されている。送話部１３６は、通信部１３３を用いて相手先に音声を送出する回路部分であり、たとえばマイクロフォンによって構成されている。
【００３０】
識別コード読取部１２２は、図４で説明したようにパネル識別コード部１２３が存在すべき位置の画像情報を読み取る回路部分である。記憶部１３８は、たとえば識別コード読取部１２２で読み取ったパネル識別コードを記憶したり、図３に示したコンテンツサーバ１０９から取得したコンテンツを格納するメモリである。操作部１３９は、送受信のための操作等の各種操作を行うための図示しないキースイッチから構成されている。
【００３１】
図７は、このうちの記憶部の概要を表わしたものである。記憶部１３８は、幾つかの記憶領域として使用されている。このうちのコンテンツ変更プログラム記憶領域１５１は、図４に示す識別コード読取部１２２からパネル識別コードを受け取って、コンテンツサーバ１０９からコンテンツセットの提供を受けるための制御プログラムを格納する領域である。パネルデータ関連情報記憶領域１５２には、パネル識別コードに対応させてコンテンツサーバ１０９の接続先に関する情報としてのＵＲＬ（Uniform Resource Locator）と、パネル識別コードおよびこれらのパネル識別コードに対応したコンテンツセットのファイル名が格納されている。
【００３２】
図８は、このパネルデータ関連情報記憶領域の詳細を表わしている。パネルデータ関連情報記憶領域１５２には、図３に示したコンテンツサーバ１０９のＵＲＬと、用意される外装パネル１０６の種類別（＃１、＃２）の識別コードと、これらの識別コードに対応させてコンテンツセットのファイル名が格納されている。ここでコンテンツセットとは、それぞれ統一的な感覚表現（デザイン）となるアイコン、フォント、画面の配色、背景画像、時計表示等のデータ群をいう。パネルデータ関連情報記憶領域１５２には、所定の空き領域が存在しており、ここれには新たに用意される「新規パネル識別コード」とこれらに対応する「コンテンツセットファイル名」が格納できるようになっている。
【００３３】
図７に戻って説明を続ける。記憶部１３８における第１〜第ｎのコンテンツセット記憶領域１５３1〜１５３nは、それぞれ統一的な感覚表現（デザイン）となるアイコン、フォント、画面の配色、背景画像、時計表示等のコンテンツセットを記憶する領域である。これらは、図３に示したユーザ１０３が複数個の外装パネル１０６を適宜交換して使用することを前提に、過去にダウンロードしたｎ通りのコンテンツセットを記憶しておくようになっている。なお、パネルデータ関連情報記憶領域１５２に格納されるコンテンツセットのファイル名とは、コンテンツセット記憶領域１５３1〜１５３nに記憶されるデータのファイル名をそれぞれ指している。
【００３４】
なお、統一的感覚表現とは、特定のデザイナあるいは企業のデザイン部門等の人または組織が統一的であるとして表現したものをいい、必ずしも客観的に認められる統一表現である必要はない。したがって、たとえばある外装パネル１０６に対してアイコン、フォント、画面の配色、背景画像、時計表示等のコンテンツセットの感覚表現が統一している、あるいは感覚表現が互いに適合しているものは、必ずしも一組である必要はない。ある装置本体１０５に対して外装パネル１０６を特定のものにするとき、これに対応するアイコン、フォント、画面の配色、背景画像、時計表示等のコンテンツセットを複数のデザイナに作成させたとしたとき、それぞれが異なったコンテンツセットを提供する可能性があるからである。したがって、特定の外装パネル１０６に感覚表現が適合するコンテンツセットは複数通り成立しうる。重要なのは、外装パネル１０６が異なればその携帯電話機１０４の印象が異なるので、これに対応させて感覚表現が適合するコンテンツセットが大きく相違する可能性があり得ることである。特定の外装パネル１０６に対応するコンテンツセットが複数組存在する場合、コンテンツサーバ１０９はこれら全部の組を提供する必要はない。後にも説明するが、複数組を提示して、ユーザの嗜好に応じて自動選択させるようなものであってもよい。
【００３５】
図９は、外装パネル提供サーバの構成の概要を表わしたものである。外装パネル提供サーバ１０８は、図３に示した携帯電話機１０４からの要求を処理する処理サーバ部１６１と、各種の外装パネル１０６を記憶した外装パネル記憶部１６２と、ユーザ１０３が選択した外装パネル１０６を要求先に配送するための処理を行う配送処理部１６３を備えている。配送処理部１６３は、外装パネル記憶部１６２に記憶された全外装パネル１０６についてこれらのストックされている物理的な倉庫等の場所を把握しており、ユーザ１０３が外装パネル１０６を選択すると該当する場所に連絡してその配送を行わせるようになっている。
【００３６】
なお、処理サーバ部１６１は、図示しないＣＰＵを備え、通常のサーバとしての基本的な機能を有すると共に、外装パネル提供サーバ１０８として各部を制御する制御プログラムを格納している。
【００３７】
図１０は、コンテンツサーバの構成の概要を表わしたものである。コンテンツサーバ１０９は、図３に示した携帯電話機１０４からの要求を処理する処理サーバ部１７１と、各種のコンテンツセットが格納されたコンテンツセット記憶部１７２を備えている。処理サーバ部１７１の基本的な構成は処理サーバ部１６１（図９）と同一である。コンテンツセット記憶部１７２の記憶するそれぞれのコンテンツセットは、パネル識別コードと対応付けて格納されている。処理サーバ部１７１は、図３に示した携帯電話機１０４からパネル識別コードを受信すると、これに対応付けられたコンテンツセットを読み出して、これを受信したその携帯電話機１０４に送信することになる。
【００３８】
図１１は、以上のような構成のコンテンツ提供サービスシステムで外装パネルの送付を依頼する際の携帯電話機側の処理の様子を表わしたものである。図３および図６と共に説明を行う。携帯電話機１０４はユーザ１０３の入力操作によって、インターネット１０１上の外装パネル提供サーバ１０８に接続し（ステップＳ２０１）、装置本体１０４の種別やユーザ１０３の住所を表わす装置本体情報をこれに送信する（ステップＳ２０２）。
【００３９】
すると、装置本体１０４の種別を表わす情報を受信した外装パネル提供サーバ１０８は、その装置本体１０４の種別に対応して装着が可能な外装パネル１０６の一覧を送信してくる。携帯電話機１０４はこの一覧を受信すると（ステップＳ２０３：Ｙ）、送られてきた外装パネル１０６の一覧をその表示部１３４に表示する（ステップＳ２０４）。ユーザ１０３は、この一覧の中から装置本体１０４に装着を希望する外装パネル１０６を１つ選択する（ステップＳ２０５：Ｙ）。
【００４０】
すると、選択された外装パネル１０６に付随した情報を携帯電話機１０４がチェックして、選択を行った外装パネル１０６が有料であるかどうかの判別が行われる（ステップＳ２０６）。たとえば、あるメーカが新製品の広告の代わりとして外装パネル１０６を希望者にプレゼントする企画を催したような場合、該当する外装パネル１０６は無料となる場合がある。地方自治体がその観光事業の一環として、外装パネル１０６をプレゼントする場合も同様である。
【００４１】
外装パネル１０６が無料であった場合には（ステップＳ２０６：Ｎ）、携帯電話機１０４側の外装パネル依頼処理が終了する（エンド）。この場合、外装パネル提供サーバ１０８は装置本体情報の中のユーザ１０３の住所を表わした情報を基にして、依頼のあった外装パネル１０６をユーザ１０３の住所に郵送させる処理を行うことになる。
【００４２】
一方、外装パネル１０６が通常の商品として有料で販売されるものであった場合には（ステップＳ２０６：Ｙ）、ユーザ１０３がこれを購入するための決済処理が行われ（ステップＳ２０７）、携帯電話機１０４側の外装パネル依頼処理が終了する（エンド）。この場合にも、外装パネル提供サーバ１０８は決済処理が完了した時点で、装置本体情報の中のユーザ１０３の住所を表わした情報を基にして、依頼のあった外装パネル１０６をユーザ１０３の住所に郵送させる処理を行うことになる。
【００４３】
このようにして、ユーザ１０３は所望の外装パネル１０６を入手することができる。もちろん、ユーザ１０３は企業のイベント会場で外装パネル１０６を直接プレゼントされたり、ダイレクトメールに同封される形で外装パネル１０６を取得することもある。また、インターネット１０１を利用せずに、携帯電話機を販売する店舗で外装パネル１０６を購入することも可能である。
【００４４】
図１２は、ユーザの携帯電話機が外装パネルとトータルコーディネイトされたコンテンツセットを設定する際の処理の流れを表わしたものである。図３、図４、図６および図７と共に説明を行う。携帯電話機１０４のユーザ１０３は、新たな外装パネル１０６を使用しようとするとき、これを装置本体１０５に装着する。すると、識別コード読取部１２２がパネル識別コード部１２３の読み取りを行う（ステップＳ２２１）。これを基にして携帯電話機１０４はその表示部１３４にコンテンツセットの変更を希望するかどうかの問い合わせの表示を行う（ステップＳ２２２）。
【００４５】
ユーザ１０３がこれに対してコンテンツセットを変更することを入力した場合には、（ステップＳ２２３：Ｙ）、携帯電話機１０４の記憶部１３８に、この装着された外装パネル１０６に適合するコンテンツセットがすでに格納されているかをチェックする（ステップＳ２２４）。これは識別コード読取部１２２の今回読み取ったパネル識別コードが、第１〜第ｎのコンテンツセット記憶領域１５３1〜１５３nに格納されたコンテンツセットのパネル識別コードのいずれかと一致するかを点検することで可能となる。
【００４６】
記憶部１３８に、この装着された外装パネル１０６に適合するコンテンツセットが格納されている場合には（ステップＳ２２４：Ｙ）、そのコンテンツセットを読み出して、統一的な感覚表現となるアイコン、フォント、画面の配色、背景画像、時計表示等のコンテンツセットの設定を行う（ステップＳ２２５）。これに対して適合するコンテンツセットが携帯電話機１０４内に格納されていない場合（ステップＳ２２４：Ｎ）、読み取ったパネル識別コードを、図８で示したパネルデータ関連情報記憶領域１５２に格納されたコンテンツサーバＵＲＬで示されるコンテンツサーバ１０９に送信する。コンテンツサーバ１０９は携帯電話機１０４から送信されたパネル識別コードに適合したコンテンツセットを送信するので、携帯電話機１０４は、そのコンテンツセットをダウンロードにより取得する（ステップＳ２２６）。この場合には、コンテンツセット記憶領域１５３1〜１５３nの未使用領域に、コンテンツサーバ１０９から取得したコンテンツセットの実体を保存し、かつ、パネルデータ関連情報記憶領域１５２の新規パネル識別コードの記憶領域に外装パネル１０６から読み取ったパネル識別コードと、ダウンロードしたコンテンツセットのファイル名を合わせて保存する（ステップＳ２２７）。そして、ダウンロードしたコンテンツセットを基にしてアイコン、フォント、画面の配色、背景画像、時計表示等の設定を行うことになる（ステップＳ２２５）。
【００４７】
また、ユーザ１０３がコンテンツセットを変更しないことを入力した場合、あるいは装着した外装パネル１０６が新規のものでない場合のようにコンテンツセットの変更が必要ない場合には（ステップＳ２２８：Ｙ）、コンテンツセットの不変更の表示が表示部１３４で行われる（ステップＳ２２９）。この場合には、ステップ２２５のコンテンツセットの表示設定を行うことなく、処理が終了する（エンド）。すなわち、この場合、ユーザ１０３はトータルコーディネイトに特に気を使うことなく、新たな外装パネル１０６をコンテンツセットの再設定を行わずに使用することになる。
【００４８】
以上説明した実施の形態では、ユーザ１０３が外装パネル１０６を交換すると、コンテンツ変更プログラム記憶領域１５１に格納されたアプリケーションソフトウェアとしてのコンテンツ変更プログラムがその外装パネル１０６のパネル識別コード部１２３を読み取って、コンテンツセットのダウンロードの要否を表示部１３４に表示する。したがって、ユーザ１０３は海外にいて携帯電話機１０４による通信が割高な場合のようにコンテンツセットのダウンロードを特に必要としないような場合、あるいは緊急に必要としない場合にこれを省略することができる。
【００４９】
また、コンテンツセットを変更して外装パネル１０６とトータルコーディネイトが必要な場合、ユーザ１０３は単にコンテンツセットの変更を指示するだけでよい。これにより、ユーザ１０３が自分で最適のコンテンツセットをダウンロードしたりコンテンツセットを表示等のために設定する操作から開放されることができる。
【００５０】
更に本実施の形態によれば、ユーザ１０３が特に外装パネルの選択に伴う装置全体としての統一的な感覚表現としてのトータルコーディネイトについて意識しなくても、あるいはユーザ１０３がトータルコーディネイトについての特別の知識や経験を有しない場合でも、常に外装パネル１０６に対応したコンテンツセットを携帯電話機１０４に適用することができる。従って、外装パネル１０６を提供する端末メーカあるいは外装パネル１０６を特定の商品の購入等に役立てようとする企業や団体は、ユーザ１０３がコンテンツセットを変更する場合、外装パネル１０６にマッチしない画面表示や音あるいはメロディの出力を防止することができる。このようにトータルコーディネイトされた携帯電話機１０４を実現することができるので、端末メーカ等はその端末の価値を高め、外装パネル１０６の価格の維持および企業あるいは団体のイメージを良好なものに維持することができる。
【００５１】
なお、実施の形態ではユーザ１０３が外装パネル１０６の装着の対象となる携帯電話機１０４を直接操作してコンテンツセットのダウンロードを行う場合を説明したが、特に外装パネル１０６の選択を行う場合で、それぞれの詳細なデザインを検討するような場合には操作専用端末１０７を活用することも可能である。この場合には、大きな表示画面を活用して、多くの候補の中からユーザ１０３が最も好ましいと判断されるものを迅速に選択することができる。
【００５２】
更に、操作専用端末１０７に外装パネル１０６の交換の対象となる携帯電話機１０４を接続することで、両者の長所を生かした外装パネル１０６の選択やコンテンツセットのダウンロードを効率的に行うことも可能である。
【００５３】
＜発明の第１の変形例＞
【００５４】
図１３は、本発明の第１の変形例におけるコンテンツ提供サービスシステムの構成の概要を表わしたものである。図１３に示した第１の変形例によるコンテンツ提供サービスシステム１００Ａで、図３と同一部分には同一の符号を付しており、これらの説明を適宜省略する。
【００５５】
第１の変形例のコンテンツ提供サービスシステム１００Ａでは、インターネット１０１に広告主端末３０１が新たに接続されている。広告主端末３０１は、外装パネル１０６を広告のために作製する広告主３０２が使用するものである。作製された外装パネル１０６は、たとえば実店舗３０３で携帯電話機１０４のユーザ１０３に無料で配布される。インターネット１０１には、この広告主３０２が広告のために直接運営する広告サーバ３０４が接続されている。もちろん、広告サーバ３０４は、広告のための専用の会社が単一あるいは複数の広告主のために運営されるものであってもよい。
【００５６】
この変形例のコンテンツ提供サービスシステム１００Ａでは、広告主端末３０１がその作製した外装パネル１０６に対応するコンテンツセットを表わしたコンテンツデータをコンテンツサーバ１０９Ａにアップロードするようになっている。コンテンツセットの改定を行った場合には、改定版をアップロードすることはもちろんである。コンテンツサーバ１０９Ａは、広告主端末３０１に対して広告の効果を示す広告効果データを適宜送信するようになっている。この広告効果データは、コンテンツセットのダウンロード数やダウンロードしたそれぞれのユーザ１０３の年齢、性別等を表わしたユーザ情報を含んでいる。
【００５７】
図１４は、この第１の変形例におけるコンテンツサーバの構成を表わしたものである。コンテンツサーバ１０９Ａは、図１３に示した携帯電話機１０４からの要求を処理する処理サーバ部１７１Ａと、各種のコンテンツセットが格納されたコンテンツセットデータベース３１１と、ユーザ１０３を初めとする各ユーザについてのユーザ情報と端末ＩＤおよびダウンロードしたコンテンツセットのパネル識別データとを対応付けて格納したユーザ情報データベース３１２と、コンテンツセットのダウンロード数やダウンロードの日時を管理するダウンロード実績データベース３１３と、パネル識別コードに対応した広告サーバのＵＲＬ情報を格納した広告サーバＵＲＬデータベース３１４を備えている。コンテンツセットデータベース３１１は、コンテンツセットをパネル識別コードと対応付けて管理している。
【００５８】
図１５および図１６は、ユーザの携帯電話機が外装パネルと感覚表現が適合するものとしてトータルコーディネイトされたコンテンツセットを設定する際の処理の流れを表わしたものであり、図１２に対応するものである。そこで図１２と同一部分には同一の符号を付している。また、図４、図６、図７および図１３と共に説明を行う。携帯電話機１０４のユーザ１０３は、新たな外装パネル１０６を使用しようとするとき、これを装置本体１０５に装着する。すると、識別コード読取部１２２がパネル識別コード部１２３の読み取りを行う（図１５ステップＳ２２１）。これを基にして携帯電話機１０４はその表示部１３４にコンテンツセットの変更を希望するかどうかの問い合わせの表示を行う（ステップＳ２２２）。
【００５９】
ユーザ１０３がこれに対してコンテンツセットを変更することを入力した場合には、（ステップＳ２２３：Ｙ）、携帯電話機１０４の記憶部１３８に、この装着された外装パネル１０６に適合するコンテンツセットがすでに格納されているかをチェックする（ステップＳ２２４）。これは識別コード読取部１２２の今回読み取ったパネル識別コードが、第１〜第ｎのコンテンツセット記憶領域１５３1〜１５３nに格納されたコンテンツセットのパネル識別コードのいずれかと一致するかを点検することで可能となる。
【００６０】
記憶部１３８に、この装着された外装パネル１０６に適合するコンテンツセットが格納されている場合には（ステップＳ２２４：Ｙ）、そのコンテンツセットを読み出して表示設定する（ステップＳ２２５）。そしてコンテンツセットの設定の処理を終了する（エンド）。
【００６１】
これに対して適合するコンテンツセットが携帯電話機１０４内に格納されていない場合（ステップＳ２２４：Ｎ）、装置本体１０５の端末ＩＤおよびステップＳ２２１で読み取ったパネル識別コードを、コンテンツサーバＵＲＬ（図８参照）の示すコンテンツサーバ１０９Ａに送信して、適合するコンテンツセットをダウンロードにより取得する（図１６ステップＳ４２６）。この場合には、そのコンテンツセットを記憶部１３８に新たに保存して、関連情報の更新を行う（ステップＳ４２７）。そして、コンテンツセットを表示設定することになる（ステップＳ４２８）。このようにして、ユーザ１０３の所持する携帯電話機１０４に適合した外装パネル１０６に対するコンテンツセットの設定が行われることになる。
【００６２】
この段階で携帯電話機の表示部１３４には、広告主３０２のサイトへのアクセスを行うかどうかの問い合わせ表示が行われる（ステップＳ４２９）。ユーザ１０３はその広告主３０２の外装パネル１０６を装着したので、そのサイトへのアクセスに興味を持っている確率は高い。ユーザ１０３が操作部１３９から広告主３０２のサイトへのアクセスを指示した場合には（ステップＳ４３０：Ｙ）、装置本体１０５の端末ＩＤ、ステップＳ２２１で読み取ったパネル識別コードおよび広告フラグを「希望」とし、広告表示用ＵＲＬの示すコンテンツサーバ１０９Ａに送信する（ステップＳ４３１）。その後、コンテンツサーバ１０９Ａにより、広告サーバ３０４へ転送される。これに対してユーザ１０３が広告サーバ３０４へのアクセスを拒否した場合には（ステップＳ４３２：Ｙ）、端末ＩＤ、パネル識別コードおよび広告フラグを「拒否」とし、広告表示用ＵＲＬの示すコンテンツサーバ１０９Ａに送信する（ステップＳ４３３）。そして処理を終了する（エンド）。
【００６３】
なお、ユーザ１０３がコンテンツセットを変更しないことを入力した場合、あるいは装着した外装パネル１０６が新規のものでない場合のようにコンテンツセットの変更が必要ない場合には（図１５ステップＳ２２８：Ｙ）、コンテンツセットの不変更の表示が表示部１３４で行われる（ステップＳ２２９）。この場合には、ステップＳ２２５あるいはステップＳ４２８のコンテンツセットの表示設定を行うことなく、処理が終了する（エンド）。もちろん、この場合でも広告サーバ３０４へのアクセスの可否を問い合わせて、広告サーバ３０４へのアクセスを高める配慮を行ってもよい。
【００６４】
図１７は、コンテンツサーバによる広告関連の処理の概要を表わしたものである。図１４に示したコンテンツサーバ１０９Ａの処理サーバ部１７１Ａは、図１３に示した広告主端末３０１からキャンペーンとして配布する外装パネル１０６に関して新規の依頼があるかどうかを待機している（ステップＳ４５１）。広告に関する新規の依頼があると（Ｙ）、広告の対象となる外装パネル１０６に対応するコンテンツセットと、対応する広告サーバ３０４のＵＲＬ情報をその広告主端末３０１から受信する（ステップＳ４５２）。そして、これらのコンテンツセットおよび広告サーバ３０４のＵＲＬ情報に対して共通かつ一意のパネル識別コードを付与し、広告主端末３０１に通知する（ステップＳ４５３）。そして、コンテンツセットを図１４に示すコンテンツサーバのコンテンツセットデータベース３１１に格納し（ステップＳ４５４）、広告サーバ３０４のＵＲＬ情報を広告サーバＵＲＬデータベース３１４に格納する（ステップＳ４５５）。
【００６５】
広告主３０２は、広告主端末３０１に通知されたパネル識別コードを用いて、外装パネル１０６の製作を行う。また、広告主端末３０１からは依頼のみを受け、コンテンツセットは、コンテンツサーバ１０９Ａの運用者側で作製するようにしてもよい。これにより、外装パネル１０６とのトータルコーディネイトに熟達したスタッフによる迅速かつ品質の安定したサービスが可能になる。
【００６６】
処理サーバ部１７１Ａは、以上の広告に関する新規の依頼についての受注処理と並行して、ユーザの携帯電話機１０４からコンテンツセット取得や広告サーバへのアクセスのための要求が到来するかの監視を行っている（ステップＳ４５６）。具体的には、ユーザの携帯電話機１０４から要求があったら（Ｙ）、そのアクセス（図１５のステップＳ２２４、Ｓ４３１、Ｓ４３３）に、広告フラグが含まれているかどうかを判定する（ステップＳ４５７）。そして、広告フラグが含まれていない場合は（Ｎ）、コンテンツセットの取得要求としてステップＳ４５８に移行し、含まれている場合には（ステップＳ４５７：Ｙ）、広告サーバ３０４へのアクセス要求としてステップＳ４５９へ移行する。
【００６７】
すなわち、コンテンツセット取得要求が受信された場合には（ステップＳ４５７：Ｎ）、コンテンツセットデータベース３１１を検索して、要求のあった携帯電話機１０４に対して、該当するコンテンツセットを送信する（ステップＳ４５８）。そして、この要求のあった携帯電話機１０４から受信した端末ＩＤを用いてユーザ情報データベース３１２を検索し、該当するユーザ情報の箇所に、ダウンロードしたコンテンツセットのパネル識別データを記録する。これによって、ユーザ情報データベース３１２の更新が行われる（ステップＳ４６０）。次に、そのコンテンツセットに関して行われたダウンロード数を今までの累計ダウンロード数に“１”を加算して、現在のダウンロードの回数を求め、更に、ダウンロードの行われた日時を記録することでダウンロード実績データベース３１３の更新を行う（ステップＳ４６１）。
【００６８】
一方、広告サーバ３０４へのアクセス要求が受信された場合には（ステップＳ４５７：Ｙ）、広告フラグが「希望」か「拒否」かを判定する（ステップＳ４５９）。そして、「希望」であった場合は（Ｙ）、広告サーバＵＲＬデータベース３１４からパネル識別コードに対応する広告サーバ３０４のＵＲＬを調べ、携帯電話機１０４からのアクセスを、そのＵＲＬに転送する（ステップＳ４６２）。よって、携帯電話機１０４では、所定の広告サーバ３０４のページが表示される。続いて、コンテンツサーバ１０９Ａでは、携帯電話機１０４から受信した端末ＩＤを用いてユーザ情報データベース３１２を検索し、該当するユーザ情報の箇所に、広告サーバへ転送した日時を記録する。これによって、ユーザ情報データベース３１２の更新が行われる（ステップＳ４６３）。また、そのコンテンツセットに関して行われた広告サーバへの転送数を今までの累計転送数に“１”を加算して、現在の転送数を求め、ダウンロード実績データベース３１３の更新を行う（ステップＳ４６４）。
【００６９】
これに対して、ステップＳ４５９において、広告フラグが「拒否」であった場合は（Ｎ）、ステップＳ４６２を飛ばしてステップＳ４６３に進み、ユーザ情報データベース３１２の該当するユーザ情報の箇所に、広告サーバへの転送を拒否された旨を記録する。そして、ステップＳ４６４で、そのコンテンツセットに関して広告サーバ３０４への転送を拒否された累計数を“１”加算して、ダウンロード実績データベース３１３の更新を行う。
【００７０】
処理サーバ部１７１Ａは、以上説明した処理と並行して、該当するコンテンツセットに関して、予め定めた所定のタイミングが到来したかを監視している（ステップＳ４６５）。ここで所定のタイミングとは、キャンペーンの開始から予め定めた周期的な時機が到来したとか、キャンペーンが終了したといった監視にふさわしいタイミングをいう。
【００７１】
このような所定のタイミングが到来した場合には（Ｙ）、該当するパネル識別データに関して、ユーザ情報データベース３１２およびダウンロード実績データベース３１３を検索する（ステップＳ４６６）。そして、これらの検索結果から所定のフォーマットの広告効果データを生成する（ステップＳ４６７）。そして、生成した広告効果データを広告主端末３０１に送信する（ステップＳ４６８）。広告主３０２は、この広告効果データを検討することで、コンテンツセットの改良や、新たな外装パネル１０６の作製に役立てることができる。
【００７２】
以上説明した本発明の第１の変形例によれば、実店舗３０３等によって、広告キャンペーンとして外装パネル１０６を配布することで、外装パネル１０６を入手したユーザ１０３がこれを携帯電話機１０４の装置本体１０５に装着した際に、広告主３０２の広告あるいは提供する情報に誘導することができる。また、ユーザ１０３がその外装パネル１０６を携帯電話機１０４にセットしている状態では、その外観やコンテンツセットが広告主３０２に対する広告塔としての役割を果たすことになる。
【００７３】
また、ユーザ端末としての携帯電話機１０４のメーカにとっては、ターゲットとなる携帯電話機のユーザ別のコラボレーション企画や広告ビジネスキャンペーン企画等の外装パネル１０６に関連する各種企画の展開を行うことで、ユーザ端末の拡販や市場の活性化を図ることができる。これらメーカ以外にとっても、これらの企画に参加することで、同様にウェブ等に関連する市場の活性化を図ることができる。
【００７４】
＜発明の第２の変形例＞
【００７５】
本発明では図４に示した装置本体１０５に外装パネル１０６を装着するとき、トータルコーディネイトされたコンテンツセットを設定することを特徴としているが、既に説明したユーザ１０３の嗜好によって、あるいはそのときユーザ１０３が休暇の旅行に行っているときか、オフィスで仕事をしているときか等の使用環境によって、あるいは着用している洋服の色や柄によって、感覚表現が適合するコンテンツセットには微妙な差異が生じる。本発明の第２の変形例では、このうちユーザ１０３の嗜好をコンテンツセットの選択に反映させることにしている。
【００７６】
図１８は、本発明の第２の変形例におけるコンテンツサーバの構成の概要を表わしたものである。コンテンツサーバ１０９Ｂは、図３等に示した携帯電話機１０４からの要求を処理する処理サーバ部１７１Ｂと、各種のコンテンツセットが嗜好別に分類されて格納された嗜好別コンテンツセットデータベース４０１と、ユーザ別のコンテンツセットの使用履歴やユーザ情報を格納したユーザ別履歴・ユーザ情報データベース４０２を備えている。
【００７７】
図１９は、コンテンツ提供サービスシステムにおけるコンテンツセットの選択処理の流れを表わしたものである。図１８と共に説明する。図３に示したユーザ１０３が装置本体１０５を特定する情報と外装パネル１０６のパネル識別コードを送ってくると、コンテンツサーバ１０９Ｂの処理サーバ部１７１Ｂはこれらの組み合わせに対するコンテンツセット群を嗜好別コンテンツセットデータベース４０１から抽出する（ステップＳ５０１）。ここには、各嗜好別等に分けられたコンテンツセットが格納されている。
【００７８】
処理サーバ部１７１Ｂは、次にユーザ別履歴・ユーザ情報データベース４０２から該当するユーザの年齢や性別を読み取って、ステップＳ５０１で抽出された複数のコンテンツセットの中から明らかに不適応なコンテンツセットを除外するフィルタリングを行う（ステップＳ５０２）。次に、そのユーザ１０３が過去に選択したコンテンツセットについての履歴情報を読み出す（ステップＳ５０３）。そして、アイコン、フォント、色等の好みを分析する（ステップＳ５０４）。そして、ステップＳ５０２で残ったコンテンツセットの中からユーザ１０３が最も好むであろうコンテンツセットを選択する（ステップＳ５０５）。
【００７９】
なお、この変形例ではユーザ１０３の嗜好に合わせる形で、ユーザ１０３自身にステップＳ５０１で抽出されたコンテンツセットの中から最適のものを選択させるモードも備えている。したがって、ユーザ１０３が過去に幾度かこのモードで最適のコンテンツセットを選択しておけば、自動的にそのユーザ１０３に適合したコンテンツセットが選択されることになる。
【００８０】
＜発明の第３の変形例＞
【００８１】
図２０は、本発明の第３の変形例における携帯電話機の回路構成の概要を表わしたものである。図２０で先の実施の形態の図６と同一部分には同一の符号を付しており、これらの説明を適宜省略する。この第３の変形例の携帯電話機１０４Ｃは、人や風景を撮影するディジタルカメラ部６０１と、このディジタルカメラ部６０１で読み取った画像データから外装パネルの種類を判別する外装パネル種類判別部６０２を備えている。携帯電話機１０４Ｃのユーザは、図３等に示した携帯電話機１０４の装置本体１０５に外装パネル１０６を装着するとき、その外観をディジタルカメラ部６０１で撮影するようになっている。なお、この変形例で各外装パネル１０６は第１〜第４の表示色（いずれも単色）のいずれかで着色されているものとする。
【００８２】
図２１および図２２は、この携帯電話機で外装パネルの種類を判別する様子の要部を表わしたものである。図３および図２０と共に説明する。携帯電話機１０４Ｃは、ユーザが操作部１３９の図示しないメニューボタンが押されるのを待機している（図２１ステップＳ６２１）。メニューボタンが押されると（Ｙ）、表示部１３４にメニュー画面が表示される（ステップＳ６２２）。ユーザがメニュー画面の中から「外装パネル判別モード」を選択すると（ステップＳ６２３：Ｙ）、表示部１３４に外装パネルの接写の指示が表示される（ステップＳ６２４）。これに対して、メニュー画面から他のモードを選択した場合には（ステップＳ６２３：Ｎ、ステップＳ６２５：Ｙ）、そのモードが実行されることになる（ステップＳ６２６）。
【００８３】
ステップＳ６２４で外装パネルの接写の指示が表示されたとき、ユーザは新たに装着しようとしている外装パネル１０６を携帯電話機１０４で接写する（ステップＳ６２７：Ｙ）。すると、外装パネル種類判別部６０２は接写して得られた画像の主な色としての単色を抽出する（ステップＳ６２８）。そして、これが予めメーカ側が外装パネル１０６の色として用意した第１色から第４色のいずれであるかを判別する（図２２ステップＳ６２９〜Ｓ６３２）。これら第１色から第４色のいずれの色でもないと外装パネル種類判別部６０２が判別した場合には（ステップＳ６３２：Ｎ）、エラー表示が表示部１３４に行われる（ステップＳ６３３）。
【００８４】
これに対して外装パネル種類判別部６０２が第１色であると判別した場合には（ステップＳ６２９：Ｙ）、第１の外装パネル１０６（たとえば赤色の外装パネル）が装着されるものと判別する（ステップＳ６３４）。外装パネル種類判別部６０２が第２色であると判別した場合には（ステップＳ６３０：Ｙ）、第２の外装パネル１０６（たとえば緑色の外装パネル）が装着されるものと判別する（ステップＳ６３５）。外装パネル種類判別部６０２が第３色であると判別した場合には（ステップＳ６３１：Ｙ）、第３の外装パネル１０６（たとえばピンク色の外装パネル）が装着されるものと判別する（ステップＳ６３６）。外装パネル種類判別部６０２が第４色であると判別した場合には（ステップＳ６３２：Ｙ）、第４の外装パネル１０６（たとえば白色の外装パネル）が装着されるものと判別する（ステップＳ６３７）。
【００８５】
このように本発明の第３の変形例では、外装パネル１０６に図５等で示した特別のパネル識別コード部１２３を付けていなくても、外装パネル１０６自体の色、模様、形状等の外観的な特徴を用いて、その種類を判別することができる。
【００８６】
この本発明の第３の変形例の更に変形例として、外装パネル１０６に図５等で示したパネル識別コード部１２３を付けておき、これをディジタルカメラ部６０１で撮影するようにしてもよい。これにより、外装パネル１０６の有無や外装パネル１０６の種類の判別を信頼性よく行うことができる。
【００８７】
また、この変形例ではディジタルカメラ部６０１を用いて画像データを取得することで外装パネル１０６の種類を判別したが、バーコードをバーコードリーダで読んだり、無線タグを無線タグリーダで読むことで、同様に外装パネル１０６の種類を判別することができる。突起や穴の数を光で検出することで外装パネル１０６の種類を判別することも可能である。
＜発明の第４の変形例＞
【００８８】
図２３は、本発明の第４の変形例における携帯電話機の外観として外装パネルを外した状態を表わしたものである。この携帯電話機１０４Ｄの装置本体１０５Ｄのカメラ７０１の取り付けられた側の表面部分の中央は、矩形状の窪み７０２を形成している。この窪み７０２の図で下側の底部からは、ＩＣ（Integrated Circuit）カード読取部７０３を構成する複数の電極７０４が突出している。窪み７０２におけるＩＣカード読取部７０３の近傍の内壁部分には、突起を収容するための突起収容穴７０５、７０６が形成されている。また、窪み７０２における突起収容穴７０５、７０６の反対側の内壁部分からは突起７０７が窪み７０２の中央部に向けて突出している。
【００８９】
図２４は、第４の変形例における携帯電話機の外装パネルの表面を表わしたものであり、図２５はこの外装パネルの裏面を表わしたものである。外装パネル１０６Ｄはほぼ矩形となった平板であり、これらの図で上部近傍には図２３に示したカメラ７０１用の円形開口部７１１が穿たれている。円形開口部７１１の近傍の外装パネル上端部には、突起７０７（図２３）を嵌合させる嵌合穴７１２が設けられている。また、反対側の下端部からは、図２３の突起収容穴７０５、７０６にそれぞれ対応させた嵌合突片７１３、７１４が突出している。
【００９０】
外装パネル１０６Ｄは、図では１つしか示していないが幾種類か用意されている。ユーザは図２３に示した装置本体１０５Ｄの窪み７０２に外装パネル１０６Ｄの１つを装着することができる。外装パネル１０６Ｄの内部にはＩＣカードが埋め込まれており、その電極部７１５が裏面に露出している。ＩＣカードには、外装パネル１０６Ｄの種類に対応させたコンテンツセットの情報が格納されている。したがって、外装パネル１０６Ｄを装置本体１０５Ｄに装着すると、コンテンツセットに関する情報が装置本体１０５Ｄが読み出されて、アイコン、フォント、画面の配色、背景画像、時計表示等のコンテンツセットの設定が行われることになる。外装パネル１０６Ｄを装置本体１０５Ｄから取り外せば、設定されたコンテンツセットは自動的に解除されることになる。
【００９１】
なお、この第４の変形例では外装パネル１０６ＤにＩＣカードを埋設することにしたが、各種のメモリ素子を固設するようにしてもよい。このとき、その外装パネル１０６Ｄの全コンテンツセットをそのメモリ素子に収容する必要はない。最低限の情報、たとえば、コンテンツサーバ１０９にアクセスするためのＵＲＬを格納するだけでもよい。これを基にして装置本体１０５Ｄがコンテンツサーバ１０９にアクセスして、追加の情報を取得することが可能なためである。
【００９２】
以上説明した実施の形態の一部または全部は、以下の付記のようにも記載されるが、以下の記載に限定されるものではない。
【００９３】
（付記１）
装置本体に装着の対象となる外装パネルを、同様に装置本体に装着の対象となる他の外装パネルから区別するための外装パネル識別情報を取得する外装パネル識別情報取得手段と、この外装パネル識別情報取得手段によって取得した外装パネル識別情報に対応したインターネット上の特定の宛先を判別する宛先判別手段と、前記装置本体に前記外装パネルが装着されたときこの宛先判別手段によって判別された宛先に接続する通信手段とを備えた携帯端末と、
前記インターネット上で前記特定の宛先に設置され、前記携帯端末の通信手段と通信し前記外装パネルの広告主に関する情報を配信する広告サーバとを具備することを特徴とする広告提供サービスシステム。
【００９４】
（付記２）
装置本体に装着の対象となる外装パネルを、同様に装置本体に装着の対象となる他の外装パネルから区別するための外装パネル識別情報を取得する外装パネル識別情報取得手段と、この外装パネル識別情報取得手段によって取得した外装パネル識別情報をインターネットを通じて特定の宛先に送信する通信手段とを備えた携帯端末と、
前記インターネット上で前記特定の宛先に設置され、前記携帯端末の通信手段から送られてきた前記外装パネル識別情報を受信する受信手段と、この受信手段によって受信した前記外装パネル識別情報を基に前記携帯端末の装置本体が装着する外装パネルの広告主を判別する広告主判別手段と、この広告主判別手段によって判別された広告主に関する情報を前記携帯端末に対して配信する配信手段とを備えた広告サーバ
とを具備することを特徴とする広告提供サービスシステム。
【符号の説明】
【００９５】
１０  広告提供サービスシステム
１１、２１  携帯端末
１１ａ、２１ａ  外装パネル識別情報取得手段
１１ｂ  宛先判別手段
１１ｃ、２１ｂ  通信手段
１２、２２  広告サーバ
２０  広告提供サービスシステム
２２ａ  受信手段
２２ｂ  広告主判別手段
２２ｃ  配信手段
１００、１００Ａ  コンテンツ提供サービスシステム
１０１  インターネット
１０２  携帯通信網
１０３  ユーザ
１０４  携帯電話機
１０５  装置本体
１０６  外装パネル
１０８  外装パネル提供サーバ
１０９、１０９Ａ、１０９Ｂ  コンテンツサーバ
１２２  識別コード読取部
１２３  パネル識別コード部
１３１  制御部
１３４  表示部
１６２  外装パネル記憶部
１７１、１７１Ａ、１７１Ｂ  処理サーバ部
１７２  コンテンツセット記憶部
３０１  広告主端末
３０２  広告主
３０３  実店舗
３０４  広告サーバ
３１１  コンテンツセットデータベース
３１２  ユーザ情報データベース
３１３  ダウンロード実績データベース
４０１  嗜好別コンテンツセットデータベース
４０２  ユーザ別履歴・ユーザ情報データベース
【図１】
2011097607.tif 000003
【図２】
2011097607.tif 000004
【図３】
2011097607.tif 000005
【図４】
2011097607.tif 000006
【図５】
2011097607.tif 000007
【図６】
2011097607.tif 000008
【図７】
2011097607.tif 000009
【図８】
2011097607.tif 000010
【図９】
2011097607.tif 000011
【図１０】
2011097607.tif 000012
【図１１】
2011097607.tif 000013
【図１２】
2011097607.tif 000014
【図１３】
2011097607.tif 000015
【図１４】
2011097607.tif 000016
【図１５】
2011097607.tif 000017
【図１６】
2011097607.tif 000018
【図１７】
2011097607.tif 000019
【図１８】
2011097607.tif 000020
【図１９】
2011097607.tif 000021
【図２０】
2011097607.tif 000022
【図２１】
2011097607.tif 000023
【図２２】
2011097607.tif 000024
【図２３】
2011097607.tif 000025
【図２４】
2011097607.tif 000026
【図２５】
2011097607.tif 000027